(57)【要約】  本発明のハンドオーバー方法は、 第１搬送波および第２搬送波を含む多重搬送波を支援する端末のハンドオーバー方法であって、サービング基地局にハンドオーバー要請メッセージを伝送する段階、目的基地局から前記サービング基地局に伝送されたハンドオーバー応答メッセージにより前記サービング基地局からハンドオーバー応答メッセージを受信する段階、前記サービング基地局からハンドオーバー応答メッセージを受信した後、前記サービング基地局と前記第１搬送波を利用してデータを送受信する段階、そして前記第２搬送波を利用して前記目的基地局とハンドオーバー信号プロセスを遂行する段階を含む。
2012505564.tif 000002
【特許請求の範囲】
【請求項１】
第１搬送波および第２搬送波を含む多重搬送波を支援する端末のハンドオーバー方法であって、
サービング基地局にハンドオーバー要請メッセージを伝送する段階、
目的基地局から前記サービング基地局に伝送されたハンドオーバー応答メッセージにより前記サービング基地局からハンドオーバー応答メッセージを受信する段階、
前記サービング基地局からハンドオーバー応答メッセージを受信した後、前記サービング基地局と前記第１搬送波を利用してデータを送受信する段階、そして
前記第２搬送波を利用して前記目的基地局とハンドオーバー信号プロセスを遂行する段階
を含む、ハンドオーバー方法。
【請求項２】
前記第１搬送波は補助搬送波であり、前記第２搬送波は主搬送波である、請求項１に記載のハンドオーバー方法。
【請求項３】
前記サービング基地局にハンドオーバーを要請する段階は、前記主搬送波を利用して遂行される、請求項２に記載のハンドオーバー方法。
【請求項４】
前記第１搬送波は主搬送波であり、前記第２搬送波は補助搬送波である、請求項２に記載のハンドオーバー方法。
【請求項５】
前記サービング基地局にハンドオーバーを要請する段階は、前記主搬送波を利用して遂行される、請求項４に記載のハンドオーバー方法。
【請求項６】
前記目的基地局からハンドオーバー完了メッセージを受信する段階をさらに含む、請求項１に記載のハンドオーバー方法。
【請求項７】
前記サービング基地局と前記第１搬送波を利用してデータを送受信する段階は、前記端末が前記ハンドオーバー完了メッセージを受信することによって終了する、請求項６に記載のハンドオーバー方法。
【請求項８】
前記目的基地局からハンドオーバー完了メッセージを受信する段階をさらに含む、請求項１に記載のハンドオーバー方法。
【請求項９】
前記サービング基地局と前記第１搬送波を利用してデータを送受信する段階は、前記端末が前記ハンドオーバー完了メッセージを受信することによって終了する、請求項８に記載のハンドオーバー方法。
【請求項１０】
前記サービング基地局と前記補助搬送波を利用してデータを送受信する段階は、前記目的基地局から前記サービング基地局に伝送された搬送波連結分離メッセージを前記端末が受信することによって終了する、請求項８に記載のハンドオーバー方法。
【請求項１１】
前記ハンドオーバー信号プロセスを遂行する段階は、
前記目的基地局にハンドオーバーレインジングコードを伝送する段階、
前記目的基地局にレインジング要請メッセージを伝送する段階、
前記目的基地局からレインジング応答メッセージを受信する段階、そして
前記目的基地局に帯域幅要請メッセージを伝送する段階
を含む、請求項１に記載のハンドオーバー方法。
【請求項１２】
前記帯域幅要請メッセージを受信することによって前記端末と前記サービング基地局との間の前記第１搬送波を利用した通信は終了する、請求項１１に記載のハンドオーバー方法。
【請求項１３】
前記レインジング要請メッセージを伝送する段階以後、前記レインジング応答メッセージを受信する段階以前に、前記サービング基地局は前記目的基地局から搬送波連結分離メッセージを受信し、
前記サービング基地局と前記第１搬送波を利用してデータを送受信する段階は、前記レインジング応答メッセージを前記端末が受信することによって終了する、請求項１１に記載のハンドオーバー方法。
【請求項１４】
前記レインジング要請メッセージを伝送することによって前記端末と前記サービング基地局との間の前記第１搬送波を利用した通信は終了する、請求項１３に記載のハンドオーバー方法。
【請求項１５】
第１搬送波を支援する第１周波数チャンネルモジュール、
第２搬送波を支援する第２周波数チャンネルモジュール、
前記第１搬送波を利用して目的基地局とハンドオーバー信号プロセスを遂行するハンドオーバー制御部、そして
前記ハンドオーバー信号プロセスが遂行される間に前記第２搬送波を利用してサービング基地局とデータを送受信するデータ通信部
を含む、端末。
【請求項１６】
前記第１搬送波および前記第２搬送波のうちのいずれか一つは主搬送波であり、他の一つは補助搬送波である、請求項１５に記載の端末。
【請求項１７】
前記ハンドオーバー制御部は、前記主搬送波を利用してハンドオーバー可否を質問するメッセージを前記サービング基地局と送受信する、請求項１６に記載の端末。
【発明の詳細な説明】
【技術分野】
【０００１】
本発明は、端末および端末のハンドオーバー方法に関する。
【背景技術】
【０００２】
端末が一つの基地局が担当するセルから他の基地局が担当するセルに移動する場合に端末はハンドオーバープロセスを遂行する。この時、端末が以前接続している基地局をサービング基地局（ｓｅｒｖｉｎｇ  ｂａｓｅ  ｓｔａｔｉｏｎ）といい、以後に接続する基地局を目的基地局（ｔａｒｇｅｔ  ｂａｓｅ  ｓｔａｔｉｏｎ）という。
【０００３】
ハンドオーバープロセス中に端末がデータを送受信することができないハンドオーバー断絶時間（ｈａｎｄｏｖｅｒ  ｉｎｔｅｒｒｕｐｔｉｏｎ  ｔｉｍｅ）が発生し得るが、高品質の通信サービスのためにはハンドオーバー断絶時間を最少化することが重要である。
【０００４】
背景技術に記載された事項はただ本発明の背景に関する理解を助けるためのものであり、この国で当業者に公知されている従来の技術に関連しない情報を含むことがある。
【発明の概要】
【発明が解決しようとする課題】
【０００５】
本発明が目的とする技術的課題は、多重搬送波を利用してハンドオーバープロセスを遂行することによってハンドオーバープロセス中に発生し得るハンドオーバー断絶時間を除去することにその目的がある。
【課題を解決するための手段】
【０００６】
本発明の一実施形態によるハンドオーバー方法は、第１搬送波および第２搬送波を含む多重搬送波を支援する端末のハンドオーバー方法であって、サービング基地局にハンドオーバー要請メッセージを伝送する段階、目的基地局から前記サービング基地局に伝送されたハンドオーバー応答メッセージにより前記サービング基地局からハンドオーバー応答メッセージを受信する段階、前記サービング基地局からハンドオーバー応答メッセージを受信した後、前記サービング基地局と前記第１搬送波を利用してデータを送受信する段階、そして前記第２搬送波を利用して前記目的基地局とハンドオーバー信号プロセスを遂行する段階を含む。
【０００７】
前記第１搬送波は補助搬送波であり、前記第２搬送波は主搬送波であっても良い。
【０００８】
前記サービング基地局にハンドオーバーを要請する段階は、前記主搬送波を利用して遂行されても良い。
【０００９】
前記第１搬送波は主搬送波であり、前記第２搬送波は補助搬送波であっても良い。
【００１０】
前記サービング基地局にハンドオーバーを要請する段階は、前記主搬送波を利用して遂行されても良い。
【００１１】
前記目的基地局からハンドオーバー完了メッセージを受信する段階をさらに含んでも良い。
【００１２】
前記サービング基地局と前記第１搬送波を利用してデータを送受信する段階は、前記端末が前記ハンドオーバー完了メッセージを受信することによって終了しても良い。
【００１３】
前記サービング基地局と前記補助搬送波を利用してデータを送受信する段階は、前記目的基地局から前記サービング基地局に伝送された搬送波連結分離メッセージを前記端末が受信することによって終了しても良い。
【００１４】
前記ハンドオーバー信号プロセスを遂行する段階は、前記目的基地局にハンドオーバーレインジングコードを伝送する段階、前記目的基地局にレインジング要請メッセージを伝送する段階、前記目的基地局からレインジング応答メッセージを受信する段階、そして前記目的基地局に帯域幅要請メッセージを伝送する段階を含んでも良い。
【００１５】
前記帯域幅要請メッセージを受信することによって前記端末と前記サービング基地局との間の前記第１搬送波を利用した通信は終了しても良い。
【００１６】
前記レインジング要請メッセージを伝送する段階以後、前記レインジング応答メッセージを受信する段階以前に、前記サービング基地局は前記目的基地局から搬送波連結分離メッセージを受信し、前記サービング基地局と前記第１搬送波を利用してデータを送受信する段階は、前記レインジング応答メッセージを前記端末が受信することによって終了しても良い。
【００１７】
前記レインジング要請メッセージを伝送することによって前記端末と前記サービング基地局との間の前記第１搬送波を利用した通信は終了しても良い。
【００１８】
本発明の他の実施形態による端末は、第１搬送波を支援する第１周波数チャンネルモジュール、第２搬送波を支援する第２周波数チャンネルモジュール、前記第１搬送波を利用して目的基地局とハンドオーバー信号プロセスを遂行するハンドオーバー制御部、そして前記ハンドオーバー信号プロセスが遂行される間に前記第２搬送波を利用してサービング基地局とデータを送受信するデータ通信部を含む。
【００１９】
前記第１搬送波および前記第２搬送波のうちのいずれか一つは主搬送波であり、他の一つは補助搬送波であっても良い。
【００２０】
前記ハンドオーバー制御部は、前記主搬送波を利用してハンドオーバー可否を質問するメッセージを前記サービング基地局と送受信しても良い。
【発明の効果】
【００２１】
本発明によれば、端末のハンドオーバープロセス中に発生し得るハンドオーバー断絶時間を除去して高品質の通信サービスが可能である。
【図面の簡単な説明】
【００２２】
【図１】本発明の一実施形態による無線通信システムを示す図である。
【図２】本発明の他の実施形態による無線通信システムを示す図である。
【図３】本発明の一実施形態によるハンドオーバープロセスを概略的に示すフローチャートである。
【図４】本発明の一実施形態によるハンドオーバー方法を示すフローチャートである。
【図５】本発明の他の実施形態によるハンドオーバー方法を示すフローチャートである。
【図６】本発明の他の実施形態によるハンドオーバー方法を示すフローチャートである。
【図７】本発明の他の実施形態によるハンドオーバー方法を示すフローチャートである。
【図８】本発明の他の実施形態によるハンドオーバー方法を示すフローチャートである。
【図９】本発明の他の実施形態によるハンドオーバー方法を示すフローチャートである。
【図１０】本発明の他の実施形態による端末を概略的に示すブロック図である。
【発明を実施するための形態】
【００２３】
以下、添付図面を参照して本発明の実施形態について本発明が属する技術分野で通常の知識を有する者が容易に実施することができるように詳細に説明する。しかしながら、本発明は多様な異なる形態で具現することができ、ここで説明する実施形態に限定されない。そして、図面において、本発明を明確に説明するために、説明上不要な部分は省略し、明細書全体を通して類似する部分については類似する図面符号を付した。
【００２４】
明細書全体において、ある部分がある構成要素を「含む」という時、これは特に反対の記載がない限り他の構成要素を除くのではなく、他の構成要素をさらに含んでも良いことを意味する。
【００２５】
本明細書において、端末（ｔｅｒｍｉｎａｌ）は、移動局（Ｍｏｂｉｌｅ  Ｓｔａｔｉｏｎ、ＭＳ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、使用者装置（Ｕｓｅｒ  Ｅｑｕｉｐｍｅｎｔ、ＵＥ）、接近端末（Ａｃｃｅｓｓ  Ｔｅｒｍｉｎａｌ、ＡＴ）などを指称しても良く、端末、移動端末、加入者局、携帯加入者局、使用者装置、接近端末などの全部または一部の機能を含んでも良い。
【００２６】
本明細書において、基地局（ｂａｓｅ  ｓｔａｔｉｏｎ、ＢＳ）は、接近点（Ａｃｃｅｓｓ Ｐｏｉｎｔ、ＡＰ）、無線接近局（Ｒａｄｉｏ  Ａｃｃｅｓｓ  Ｓｔａｔｉｏｎ、ＲＡＳ）、ノードＢ（Ｎｏｄｅ  Ｂ）、高度化ノードＢ（ｅｖｏｌｖｅｄ  ＮｏｄｅＢ、ｅＮｏｄｅＢ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを指称しても良く、接近点、無線接近局、ノードＢ、ｅＮｏｄｅＢ、送受信基地局、ＭＭＲ−ＢＳなどの全部または一部の機能を含んでも良い。
【００２７】
次に、図面を参照して本発明の一実施形態による端末およびそのハンドオーバー方法について詳細に説明する。
【００２８】
図１は、本発明の一実施形態による無線通信システムを示す図であり、図２は、本発明の他の実施形態による無線通信システムを示す図である。
【００２９】
図１を参照すれば、無線通信システムは、端末（ｔｅｒｍｉｎａｌ）１１０、１２０および基地局（ｂａｓｅ  ｓｔａｔｉｏｎ）２１０を含む。
【００３０】
端末１１０、１２０は、無線チャンネルの終端点であって、基地局２１０に接続してデータを送受信する。端末１１０は、周波数帯域ＦＡ１を有する一つの搬送波を支援し、端末１２０は、周波数帯域ＦＡ１および周波数帯域ＦＡ２をそれぞれ有する二つの搬送波を支援する。
【００３１】
基地局２１０は、端末１１０、１２０からデータを受信したりデータを端末１１０、１２０に伝達する。基地局２１０は、周波数帯域ＦＡ１を有する一つの搬送波を支援する。
【００３２】
端末１１０、１２０は、周波数帯域ＦＡ１を有する搬送波を利用して基地局２１０と通信する。
【００３３】
図２の無線通信システムも、端末１１０、１２０および基地局２２０を含む。しかしながら、図１の無線通信システムと異なり、基地局２２０は周波数帯域ＦＡ１および周波数帯域ＦＡ２をそれぞれ有する二つの搬送波を支援する。
【００３４】
端末１１０は、周波数帯域ＦＡ１を有する搬送波を利用して基地局２２０と通信し、端末１２０は周波数帯域ＦＡ１および周波数帯域ＦＡ２をそれぞれ有する二つの搬送波を利用して基地局２２０と通信する。
【００３５】
このように二つ以上の搬送波、つまり、多重搬送波（ｍｕｌｔｉ  ｃａｒｒｉｅｒ）を使用する端末１２０で搬送波は二種類に区分されるところ、一つは主搬送波（ｐｒｉｍａｒｙ  ｃａｒｒｉｅｒ）であり、他の一つは補助搬送波（ｓｅｃｏｎｄａｒｙ  ｃａｒｒｉｅｒ）である。
【００３６】
主搬送波は、基地局と端末との間の各種制御情報およびデータを送受信するための搬送波であり、端末１２０は一つの基地局２２０領域で複数の搬送波のうちの一つの搬送波を主搬送波として使用する。
【００３７】
補助搬送波は、端末が主搬送波を通じて制御情報を送受信している状態でデータの送受信のみのために使用される付加的な搬送波である。ただし、補助搬送波を通じて多重搬送波運用のための制御情報をやり取りを行って良い。
【００３８】
次に、図３を参照して本発明の一実施形態によるハンドオーバー方法について詳細に説明する。
【００３９】
図３は、本発明の一実施形態によるハンドオーバープロセスを概略的に示すフローチャートである。
【００４０】
図３を参照すれば、端末１００は、サービング基地局２３０とデータを送受信する（Ｓ３１０）。次に、端末１００はサービング基地局２３０とのデータ送受信状態を維持しながら、目的基地局２４０とハンドオーバー信号プロセス（ｈａｎｄｏｖｅｒ  ｓｉｇｎａｌｉｎｇ  ｐｒｏｃｅｓｓ）を開始する（Ｓ３２０）。その後、端末１００は目的基地局２４０とハンドオーバー信号プロセスを完了する（Ｓ３３０）。次に、端末１００はサービング基地局２３０とのデータ送受信を停止し（Ｓ３４０）、目的基地局２４０にハンドオーバーを完了する（Ｓ３５０）。
【００４１】
このように端末１００がサービング基地局２３０とのデータ送受信状態を維持しながら目的基地局２４０にハンドオーバープロセスを遂行するために、端末１００は多重搬送波を利用する。次に、図３によるハンドオーバー方法の多様な実施形態について詳細に説明する。
【００４２】
図４は、本発明の一実施形態によるハンドオーバー方法を示すフローチャートである。
【００４３】
図４を参照すれば、端末１００は、多重搬送波ＰＣ１、ＳＣ１を支援し、このうちＰＣ１は主搬送波として利用し、ＳＣ１は補助搬送波として利用する。サービング基地局２３０および目的基地局２４０ もそれぞれ主搬送波として利用する搬送波ＰＣ２、ＰＣ３を支援し、補助搬送波として利用する搬送波ＳＣ２、ＳＣ３を支援する。
【００４４】
まず、端末１００は、主搬送波ＰＣ１を使用してサービング基地局２３０にハンドオーバー要請を遂行する（Ｓ４１１）。ハンドオーバー要請（Ｓ４１１）はＭＯＢ＿ＭＳＨＯ＿ＲＥＱ（ｍｏｂｉｌｉｔｙ  ｍｏｂｉｌｅ  ｓｔａｔｉｏｎ  ｈａｎｄｏｖｅｒ  ｒｅｑｕｅｓｔ）メッセージを通じて伝達される。この時、端末１００はサービング基地局２３０に多重搬送波を利用したハンドオーバーが可能か否かを質問しても良く、これはＭＯＢ＿ＭＳＨＯ＿ＲＥＱメッセージに含まれているＭＣＨＯ  Ｅｎ／Ｄｉｓａｂｌｅ（ｍｕｌｔｉｃａｒｒｉｅｒ  ｈａｎｄｏｖｅｒ  ｅｎａｂｌｅ／ｄｉｓａｂｌｅ）フィールドを通じて伝達される。
【００４５】
次に、サービング基地局２３０は目的基地局２４０にハンドオーバー要請を伝送する（Ｓ４１２）。ハンドオーバー要請（Ｓ４１２）はＨＯ−Ｒｅｑｕｅｓｔ（ｈａｎｄｏｖｅｒ  ｒｅｑｕｅｓｔ）メッセージを通じて伝送される。この時、サービング基地局２３０は目的基地局２４０に多重搬送波を利用したハンドオーバーが可能か否かを質問しても良く、これはＨＯ＿Ｒｅｑｕｅｓｔメッセージに含まれているＭＣＨＯ  Ｅｎ／Ｄｉｓａｂｌｅフィールドを通じて伝達される。
【００４６】
サービング基地局２３０は端末１００との既存連結情報を目的基地局２４０に伝送し（Ｓ４１３）、サービング基地局２３０と目的基地局２４０は経路を最適化して再設定する（Ｓ４１４）。
【００４７】
次に、目的基地局２４０はサービング基地局２３０にハンドオーバー応答を伝送する（Ｓ４１５）。ハンドオーバー応答（Ｓ４１５）はＨＯ−Ｒｅｓｐｏｎｓｅメッセージを通じて伝送され、ＨＯ−Ｒｅｓｐｏｎｓｅメッセージは目的基地局２４０がサービング基地局２３０に多重搬送波を利用したハンドオーバーが可能か否かを応答するＭＣＨＯ  Ｅｎ／Ｄｉｓａｂｌｅフィールドを含む。
【００４８】
サービング基地局２３０は端末１００にハンドオーバー応答を伝送する（Ｓ４１６）。ハンドオーバー応答（Ｓ４１６）はＭＯＢ＿ＢＳＨＯ＿ＲＥＱ（ｍｏｂｉｌｉｔｙ  ｂａｓｅ  ｓｔａｔｉｏｎ  ｈａｎｄｏｖｅｒ  ｒｅｑｕｅｓｔ）メッセージを通じて伝達される。ＭＯＢ＿ＢＳＨＯ＿ＲＥＱメッセージは、サービング基地局２３０が端末１００に多重搬送波を利用したハンドオーバーが可能か否かを応答するＭＣＨＯ  Ｅｎ／Ｄｉｓａｂｌｅフィールドを含む。また、サービング基地局２３０は目的基地局２４０にＨＯ−Ａｃｋ（ｈａｎｄｏｖｅｒ  ａｃｋｎｏｗｌｅｄｇｅ）メッセージを通じてハンドオーバー応答を伝送する（Ｓ４１７）。
【００４９】
端末１００がサービング基地局２３０から多重搬送波を利用したハンドオーバーが可能であるという応答を受けた場合、この時から端末１００は補助搬送波ＳＣ１のみを利用してサービング基地局２３０とデータを送受信する（Ｓ４１８）。次に、端末１００は主搬送波ＰＣ１を利用してＭＯＢ＿ＨＯ＿ＩＮＤ（ｍｏｂｉｌｉｔｙ  ｈａｎｄｏｖｅｒ  ｉｎｄｉｃａｔｉｏｎ）メッセージをサービング基地局２３０に伝送することによってハンドオーバー信号プロセスを開始する（Ｓ４１９）。
【００５０】
サービング基地局２３０は、ＭＯＢ＿ＨＯ＿ＩＮＤメッセージを端末１００から受信した後にＨＯ−ｃｏｎｆｉｒｍメッセージを通じてハンドオーバー確認を伝送する（Ｓ４２０）。そうすると、目的基地局２４０はサービング基地局２３０にＨＯ−Ａｃｋ（ｈａｎｄｏｖｅｒ  ａｃｋｎｏｗｌｅｄｇｅ）メッセージを通じてハンドオーバー応答を伝送する（Ｓ４２１）。
【００５１】
次に、端末１００は主搬送波ＰＣ１を利用して目的基地局２４０とハンドオーバー信号プロセスを遂行する。まず、端末１００はＨＯ  ｒａｎｇｉｎｇ  ｃｏｄｅメッセージを利用してハンドオーバーレインジングコードを目的基地局２４０に伝送し（Ｓ４２２）、ＲＮＧ＿ＲＥＱ（ｒａｎｇｉｎｇ  ｒｅｑｕｅｓｔ）メッセージを利用してハンドオーバーレインジングを要請する（Ｓ４２３）。次に、目的基地局２４０は端末１００にＲＮＧ＿ＲＳＰメッセージを利用してハンドオーバーレインジング応答を伝送する（Ｓ４２４）。そうすると、端末１００は目的基地局２４０にＢＷ＿ＲＥＱ（ｂａｎｄｗｉｄｔｈ  ｒｅｑｕｅｓｔ）メッセージを通じて帯域幅要請を伝送する（Ｓ４２５）。
【００５２】
端末１００が目的基地局２４０にＢＷ＿ＲＥＱメッセージを送信することによって、主搬送波ＰＣ１を利用した端末１００とサービング基地局２３０との間の通信は終了する。目的基地局２４０が端末１００からＢＷ＿ＲＥＱメッセージを受信した後、端末１００と目的基地局２４０は主搬送波ＰＣ１を利用してデータを送受信したり制御信号を送受信しても良い。
【００５３】
目的基地局２４０は、ＨＯ−Ｄｉｓｃｏｎｎｅｃｔ−ＳＣ（ｈａｎｄｏｖｅｒ  ｄｉｓｃｏｎｎｅｃｔ  ｓｅｃｏｎｄａｒｙ  ｃａｒｒｉｅｒ）メッセージを利用してサービング基地局２３０に端末１００とサービング基地局２３０との間に使用されていた補助搬送波ＳＣ１の連結を切っても良いことを通知する（Ｓ４２６）。
【００５４】
サービング基地局２３０は、ＨＯ−Ｄｉｓｃｏｎｎｅｃｔ−ＳＣメッセージを受信した後にＨＯ−Ａｃｋメッセージを利用し、端末１００とデータ送受信に使用していた補助搬送波ＳＣ１をこれ以上使用しないという分離応答を目的基地局２４０に伝送する（Ｓ４２７）。次に、サービング基地局２３０は目的基地局２４０に端末１００との既存連結情報を伝送する（Ｓ４２８）。
【００５５】
目的基地局２４０は、端末１００にＭＯＢ＿ＭＣＨＯ＿ＣＯＭＰＬＥＴＥメッセージを利用してハンドオーバープロセスが完了したことを通知する（Ｓ４２９）。端末１００とサービング基地局２３０との間の補助搬送波ＳＣ１を利用したデータ送受信段階（Ｓ４１８）は、端末１００がＭＯＢ＿ＭＣＨＯ＿ＣＯＭＰＬＥＴＥメッセージを受信することによって完全に終了する。サービング基地局２３０と目的基地局２４０は経路を最適化して再設定する（Ｓ４３０）。
【００５６】
ＭＯＢ＿ＭＣＨＯ＿ＣＯＭＰＬＥＴＥメッセージを受信した後、端末１００は目的基地局２４０へのハンドオーバープロセスが完了して目的基地局２４０とデータを送受信する（Ｓ４３１）。
【００５７】
このように本発明の一実施形態によるハンドオーバー方法は、端末１００がサービング基地局２３０から目的基地局２４０にハンドオーバーする時、主搬送波ＰＣ１を利用して目的基地局２４０とのハンドオーバープロセスを遂行し、補助搬送波ＳＣ１を利用してハンドオーバープロセス中にサービング基地局２３０とのデータ送受信を遂行する。そうすると、ハンドオーバープロセス中に端末がデータを送受信することができないハンドオーバー断絶時間を除去することができる。
【００５８】
次に、図５を参照して本発明の他の実施形態によるハンドオーバー方法について詳細に説明する。
【００５９】
図５は、本発明の他の実施形態によるハンドオーバー方法を示すフローチャートである。
【００６０】
図５のハンドオーバー方法は、図４のハンドオーバー方法と類似するプロセスを遂行する。ただし、図５のハンドオーバー方法は図４のハンドオーバー方法と異なり、端末１００とサービング基地局２３０が補助搬送波ＳＣ１のみを利用してデータ送受信を遂行する段階（Ｓ５１８）がＭＯＢ＿ＭＣＨＯ＿ＣＯＭＰＬＥＴＥメッセージではない搬送波連結分離（Ｓ４２６）のためのＨＯ−Ｄｉｓｃｏｎｎｅｃｔ−ＳＣメッセージによって終了する。
【００６１】
次に、図６を参照して本発明の他の実施形態によるハンドオーバー方法について詳細に説明する。
【００６２】
図６は、本発明の他の実施形態によるハンドオーバー方法を示すフローチャートである。
【００６３】
図６のハンドオーバー方法は、端末１００のサービング基地局２３０へのハンドオーバー要請（Ｓ４１１）から端末１００の目的基地局２４０へのＲＮＧ＿ＲＥＱ（ｒａｎｇｉｎｇ  ｒｅｑｕｅｓｔ）メッセージを利用したレインジング要請（Ｓ４２３）までの段階は、図４のハンドオーバー方法と同一である。しかしながら、図６のハンドオーバー方法は図４のハンドオーバー方法と異なり、端末１００がレインジング要請のためのＲＮＧ＿ＲＥＱ（ｒａｎｇｉｎｇ  ｒｅｑｕｅｓｔ）メッセージを伝送（Ｓ４２３）した後に、主搬送波ＰＣ１を利用した端末１００とサービング基地局２３０との間の連結が分離される。
【００６４】
また、図６のハンドオーバー方法は、目的基地局２４０が端末１００からレインジング要請（Ｓ４２３）を受けた後に、目的基地局２４０はＨＯ−Ｄｉｓｃｏｎｎｅｃｔ−ＳＣメッセージを利用してサービング基地局２３０に端末１００とサービング基地局２３０との間に使用されていた補助搬送波ＳＣ１の連結を切っても良いことを通知する（Ｓ６２４）。
【００６５】
サービング基地局２３０は、ＨＯ−Ｄｉｓｃｏｎｎｅｃｔ−ＳＣメッセージを受信した後にＨＯ−Ａｃｋメッセージを利用し、端末１００とデータ送受信に使用していた補助搬送波ＳＣ１をこれ以上使用しないという分離応答を目的基地局２４０に伝送する（Ｓ６２５）。次にサービング基地局２３０は目的基地局２４０に端末１００との既存連結情報を伝送する（Ｓ６２６）。
【００６６】
その後、目的基地局２４０は端末１００にＲＮＧ＿ＲＳＰメッセージを利用してハンドオーバーレインジング応答を伝送する（Ｓ６２７）。端末１００とサービング基地局２３０との間の補助搬送波ＳＣ１を利用したデータ送受信（Ｓ６１８）は、ＲＮＧ＿ＲＳＰメッセージにより完全に終了する。したがって、図４のようなＭＯＢ＿ＭＣＨＯ＿ＣＯＭＰＬＥＴＥメッセージは省略される。
【００６７】
次に、端末１００は目的基地局２４０にＢＷ＿ＲＥＱ（ｂａｎｄｗｉｄｔｈ  ｒｅｑｕｅｓｔ）メッセージを通じて帯域幅要請を伝送する（Ｓ６２８）。サービング基地局２３０と目的基地局２４０は経路を最適化して再設定する（Ｓ６２９）。その後、端末１００は目的基地局２４０へのハンドオーバープロセスが完了して目的基地局２４０とデータを送受信する（Ｓ６３０）。
【００６８】
次に、図７を参照して本発明の他の実施形態によるハンドオーバー方法について詳細に説明する。
【００６９】
図７は、本発明の他の実施形態によるハンドオーバー方法を示すフローチャートである。
【００７０】
図７のハンドオーバー方法は、端末１００のサービング基地局２３０へのハンドオーバー要請（Ｓ４１１）から端末１００の目的基地局２４０へのハンドオーバー応答（Ｓ４２１）までの段階は図４のハンドオーバー方法と同一である。
【００７１】
ただし、図７のハンドオーバー方法は図４のハンドオーバー方法と異なり、端末１００がサービング基地局２３０からＭＯＢ＿ＢＳＨＯ＿ＲＥＱメッセージを通じて多重搬送波を利用したハンドオーバーが可能であるという応答を受けた場合、端末１００はサービング基地局２３０と主搬送波ＰＣ１のみを利用してデータを送受信する（Ｓ７１８）。
【００７２】
また、端末１００が目的基地局２４０にハンドオーバーレインジングコード伝送（Ｓ７２２）、レインジング要請（Ｓ７２３） および帯域幅要請（Ｓ７２５）を伝送する時と端末１００が目的基地局２４０からレインジング応答（Ｓ７２４）を受信する時、補助搬送波ＳＣ１を利用する。つまり、端末１００は主搬送波ＰＣ１ではない補助搬送波ＳＣ１を利用してハンドオーバー信号プロセスを遂行する。
【００７３】
図７のハンドオーバー方法においてその以後の過程は図４のハンドオーバー方法と同一である。
【００７４】
次に、図８を参照して本発明の他の実施形態によるハンドオーバー方法を説明する。
【００７５】
図８は、本発明の他の実施形態によるハンドオーバー方法を示すフローチャートである。
【００７６】
図８のハンドオーバー方法は図７のハンドオーバー方法と同一なプロセスを遂行する。ただし、図８のハンドオーバー方法は図７のハンドオーバー方法と異なり、主搬送波ＰＣ１のみを利用して端末１００とサービング基地局２３０との間のデータ送受信を遂行する段階（Ｓ８１８）が搬送波連結分離（Ｓ４２６）のためのＨＯ−Ｄｉｓｃｏｎｎｅｃｔ−ＳＣメッセージにより終了する。つまり、端末１００とサービング基地局２３０との間のデータ送受信は、ＭＯＢ＿ＭＣＨＯ＿ＣＯＭＰＬＥＴＥメッセージにより終了する図７とは異なり、搬送波連結分離（Ｓ４２６）のためのＨＯ−Ｄｉｓｃｏｎｎｅｃｔ−ＳＣメッセージにより終了する。
【００７７】
次に、図９を参照して本発明の他の実施形態によるハンドオーバー方法を説明する。
【００７８】
図９は、本発明の他の実施形態によるハンドオーバー方法を示すフローチャートである。
【００７９】
図９のハンドオーバー方法は、端末１００のサービング基地局２３０へのハンドオーバー要請（Ｓ４１１）から端末１００の目的基地局２４０へのハンドオーバー 応答（Ｓ４２１）までの段階は図６のハンドオーバー方法と同一である。
【００８０】
ただし、図９のハンドオーバー方法は図６のハンドオーバー方法と異なり、端末１００がサービング基地局２３０からＭＯＢ＿ＢＳＨＯ＿ＲＥＱメッセージを通じて多重搬送波を利用したハンドオーバーが可能であるという応答を受けた場合、端末１００はサービング基地局２３０と主搬送波ＰＣ１のみを利用してデータを送受信する（Ｓ９１８）。
【００８１】
また、端末１００が目的基地局２４０にハンドオーバーレインジングコード伝送（Ｓ９２２）、レインジング要請（Ｓ９２３）および帯域幅要請（Ｓ９２８）を伝送する時と端末１００が目的基地局２４０からレインジング応答（Ｓ９２７）を受信する時、補助搬送波ＳＣ１を利用する。つまり、端末１００はハンドオーバー信号プロセスを主搬送波ＰＣ１ではない補助搬送波ＳＣ１を利用して遂行する。
【００８２】
図９のハンドオーバー方法においてその以後の過程は図６のハンドオーバー方法と同一である。
【００８３】
次に、図１０を参照して本発明による端末について詳細に説明する。
【００８４】
図１０は、本発明の他の実施形態による端末を概略的に示すブロック図である。
【００８５】
図１０を参照すれば、本発明による端末１００は、周波数チャンネルモジュール１１０、１２０、ハンドオーバー制御部１３０およびデータ通信部１４０を含む。
【００８６】
周波数チャンネルモジュール１１０、１２０はそれぞれ多重搬送波を支援する。複数の周波数チャンネルモジュール１１０、１２０ のうちのいずれか一つの周波数チャンネルモジュールが支援する搬送波は主搬送波として使用され得、残りの周波数チャンネルモジュールが支援する搬送波は補助搬送波として使用される。実際に周波数チャンネルモジュール１１０、１２０は物理（ｐｈｙｓｉｃａｌ、ＰＨＹ）階層（ｌａｙｅｒ）に含まれている。
【００８７】
ハンドオーバー制御部１３０は、サービング基地局２３０および目的基地局２４０との間にハンドオーバーと関連したメッセージを送受信してハンドオーバーを遂行する。ここでハンドオーバー関連メッセージは、ハンドオーバー可否を質問するメッセージおよびハンドオーバー信号プロセスメッセージに区分される。ハンドオーバー可否を質問するメッセージはＭＯＢ＿ＭＳＨＯ＿ＲＥＱおよびＭＯＢ＿ＢＳＨＯ＿ＲＥＱを含み、ハンドオーバー信号プロセスメッセージはＨＯ  ｒａｎｇｉｎｇ  ｃｏｄｅ、ＲＮＧ＿ＲＥＱ、ＲＮＧ＿ＲＳＰおよびＢＷ＿ＲＥＱを含む。ハンドオーバー制御部１３０はハンドオーバー可否を質問するメッセージは主搬送波を利用して送受信し、ハンドオーバー信号プロセスメッセージは主搬送波または補助搬送波を利用して送受信する。
【００８８】
データ通信部１４０はサービング基地局２３０または目的基地局２４０とデータを送受信する。ハンドオーバー制御部１３０が主搬送波を利用して目的基地局２４０とハンドオーバー信号プロセスメッセージを送受信する場合に、データ通信部１４０は補助搬送波を利用してサービング基地局２３０とデータを送受信する。ハンドオーバー制御部１３０が補助搬送波を利用して目的基地局２４０とハンドオーバー信号プロセスメッセージを送受信する場合に、データ通信部１４０は主搬送波を利用してサービング基地局２３０とデータを送受信する。ハンドオーバープロセスが完了した以後にデータ通信部１４０は主搬送波または補助搬送波を利用して目的基地局２４０とデータを送受信する。
【００８９】
以上で説明した本発明の実施形態は、装置および方法を通じてのみ具現されるのではなく、本発明の実施形態の構成に対応する機能を実現するプログラムまたはそのプログラムが記録された記録媒体を通じても具現され得る。
【００９０】
以上で本発明の実施形態について詳細に説明したが、本発明の権利範囲はこれに限定されるのではなく、特許請求の範囲で定義している本発明の基本概念を利用した当業者の多様な変形および改良形態も本発明の権利範囲に属する。
【図１】
2012505564.tif 000003
【図２】
2012505564.tif 000004
【図３】
2012505564.tif 000005
【図４】
2012505564.tif 000006
【図５】
2012505564.tif 000007
【図６】
2012505564.tif 000008
【図７】
2012505564.tif 000009
【図８】
2012505564.tif 000010
【図９】
2012505564.tif 000011
【図１０】
2012505564.tif 000012